(57)【要約】【課題】構造が簡易で軽量であり、必要に応じて手軽に移し変えることができ、また安価に製作することができるくじ引き式の景品供給装置を提供する。【解決手段】段ボールにより箱状に形成された、くじ玉としての景品を収容するための本体１と、この本体１の前面下部に形成された景品排出口３と、前記本体１の前面の内側に上下にスライド可能に設けられ、ゴム紐１２により一方向に弾性的に付勢され、その付勢力に抗してスライド移動することにより前記排出口３を開放し、前記ゴム紐１２の弾性力でスライド移動することにより前記排出口３を閉塞する開閉板８と、この開閉板８の内面に設けられ、開閉板８がスライド移動することにより前記本体１内の景品を撹拌するシャッフル部材とを具備する。【選択図】    図１
0003110124.tif 000002
【実用新案登録請求の範囲】
【請求項１】
段ボールにより箱状に形成された、くじ玉としての景品を収容するための本体と、この本体の前面下部に形成された景品排出口と、前記本体の前面の内側に上下にスライド可能に設けられ、弾性部材により一方向に弾性的に付勢され、その付勢力に抗してスライド移動することにより前記排出口を開放し、前記弾性部材の弾性力でスライド移動することにより前記排出口を閉塞する開閉板と、この開閉板の内面に設けられ、開閉板がスライド移動することにより前記本体内の景品を撹拌するシャッフル部材とを具備することを特徴とするくじ引き式景品供給装置。
【考案の詳細な説明】
【技術分野】
【０００１】
この考案は、販売製品の宣伝や販売促進のために、販売店の店内や店頭に設置してくじ引き形式で景品を供給するくじ引き式景品供給装置に関する。
【背景技術】
【０００２】
販売店の店内や店頭にくじ引き式の景品供給装置を設置し、この景品供給装置を媒体にして販売製品を宣伝し、販売の促進につなげることが一般に行なわれている。
【０００３】
この種の景品供給装置は、箱状の本体を備え、この本体内にくじ玉としての景品が収容され、お客による操作に応じてその景品のうちのいずれかを排出してお客に供給するようになっている。
【考案の開示】
【考案が解決しようとする課題】
【０００４】
ところが、従来のこの種の景品供給装置においては、各種の電気機器を用いて本体内の景品を無作為に選別して供給する複雑な構造となっており、このため全体が比較的大型で高重量となり、また電源設備を必要としている。したがって、店内や店頭に設置するにしてもその設置位置が限られ、また手軽に位置を移し変えるようなことが困難となっている。
【０００５】
すなわち、この種の景品供給装置は、お客の流れや店内のスペース等に応じて種々の位置に手軽に移し変え得ることが望ましいが、従来の景品供給装置では高重量でかつ電源を要するためそれを実現することができないという問題がある。また、構造が複雑であるため、製作コストが嵩み、高価となる難点がある。
【０００６】
この考案はこのような点に着目してなされたもので、その目的とするところは、構造が簡易で軽量であり、必要に応じて手軽に移し変えることができ、また安価に製作することができる景品供給装置を提供することにある。
【課題を解決するための手段】
【０００７】
この考案の景品供給装置は、段ボールにより箱状に形成された、くじ玉としての景品を収容するための本体と、この本体の前面下部に形成された景品排出口と、前記本体の前面の内側に上下にスライド可能に設けられ、弾性部材により一方向に弾性的に付勢され、その付勢力に抗してスライド移動することにより前記排出口を開放し、前記弾性部材の弾性力でスライド移動することにより前記排出口を閉塞する開閉板と、この開閉板の内面に設けられ、開閉板がスライド移動することにより前記本体内の景品を撹拌するシャッフル部材とを具備することを特徴としている。
【０００８】
本体内にはくじ玉としての多数の景品が収容される。お客は景品供給装置の開閉板を弾性部材の弾性力に抗して押し込む。開閉板が押し込まれると、本体の前面の排出口が開放され、これに応じて本体内の景品の１個が排出口を通して排出される。こののち、開閉板に対する押し込みを外すと、開閉板が弾性部材の弾性力でスライド移動して当初の位置に戻り、排出口が閉塞される。
【考案の効果】
【０００９】
この考案の景品供給装置によれば、お客が開閉板を操作する都度、排出口が開放されて本体内の景品が順次１個ずつ排出される。そして、開閉板の内面にはシャッフル部材が設けられており、このため本体内に収容された各景品は、開閉板がスライド移動する都度、シャッフル部材により撹拌される。このため、本体内の各景品は、本体内で詰まることなく、順次１個ずつ円滑に排出口から排出され、またシャッフル部材で各景品が撹拌されるため、くじ引きの公平性も保たれる。
【００１０】
この景品供給装置は、その本体が段ボール製であり、また開閉板が単なる弾性部材の弾性力で動作して電源を必要とせず、このため景品供給装置の全体が簡易な構造でかつ軽量となり、したがって店内や店頭の狭いスペース部分であっても制約なく容易に設置でき、またその移し変えも手軽に行なうことができ、さらに構造が簡易であるから安価に製作することができる。
【考案を実施するための最良の形態】
【００１１】
以下、この考案の実施の形態について図面を参照して説明する。
【００１２】
図１には景品供給装置の全体の外観を示してあり、この景品供給装置は箱状の本体１を備え、この本体１は軽量な段ボール箱からなる。この本体１の上面板１ａには円形の投入口２が形成され、また前面板１ｂの下部には排出口３が形成されている。そして前面板１ｂの外面には、前記排出口３からは排出される景品を受ける受皿４が取り付けられている。
【００１３】
図２には本体１の内部構造を、図３および図４には本体１の断面構造を示してあり、これら図２〜図４に示すように、本体１の内底部には底板５が設けられている。底板５は比較的厚手の段ボール紙からなり、中間部にガイド溝６を有し、このガイド溝６の両側が受部７となっている。
【００１４】
底板５のガイド溝６は、前記排出口３に向って斜め下方に傾斜するように延びている。また、ガイド溝６の両側に配置された各受部７はそのガイド溝６に向ってそれぞれ斜め下方に傾斜している。
【００１５】
本体１の前面板１ｂの内側には開閉板８が上下にスライド可能に設けられている。この開閉板８は例えばプラスチックの板材からなり、下部には前記排出口３に対応する開閉口９が形成され、また上端縁には操作片１０が一体に突出形成されている。
【００１６】
操作片１０は、本体１の上面板１ａの縁部を貫通して上方に延出し、その上端部には押し体１１が取り付けられている。開閉板８の内側には弾性部材としてのゴム紐１２が設けられている。このゴム紐１２としては、一般に市販されている輪ゴムを用いることが可能である。
【００１７】
ゴム紐１２は、両端部が本体１の内壁上部に留め具１３を介して掛け止められ、中間部が留め具１４を介して開閉板８の内面部に掛け止められ、このゴム紐１２の張力により開閉板８が上方に弾性的に付勢されている。
【００１８】
通常時には、開閉板８は図３に示すように、その開閉口９が排出口３の上方に位置し、その排出口３が開閉板８の板面で閉塞される状態に前記ゴム紐１２により保持されている。また、この開閉板８の内面のほぼ中央部に、景品を撹拌するためのシャッフル部材１５が取り付けられている。
【００１９】
このように構成された景品供給装置は、店内や店頭に設置して使用する。この使用の際には、投入口２から本体１内にくじ玉としての多数の景品ａを投入して収容する。くじ玉としての景品ａは、例えば図５に示すように、プラスチックで形成された中空ボール状で二つ割に分割可能なケースｂ内にくじの当たりや外れの品物ｃを収納してなる。
【００２０】
本体１内に多数の景品ａが収容された状態のもとで、くじ引きを行なうお客は景品供給装置の操作片１０の上端の押し体１１に手を当てて操作片１０と一体に開閉板８をゴム紐１２の弾性力に抗して下方に押し込む。
【００２１】
開閉板８が下方に押し込まれると、図３に示すように、この開閉板８の開閉口９が本体１の前面の排出口３に対向するように重なり、これに応じて本体１内に景品ａの１個が開閉口９および排出口３を通して受皿４に排出される。
【００２２】
こののち、押し体１１から手を離すと、操作片１０および開閉板８が一体にゴム紐１２の弾性力で上方にスライド移動して当初の位置に戻り、排出口３が開閉板８の板面で閉塞される。
【００２３】
お客は、受皿４に排出された景品ａを取り出し、ケースｂを二つ割に分割して内部の品物ｃを取り出す。このようにお客が操作片１０を介して開閉板８を操作する都度、排出口３が開放されて本体１内の景品ａが受皿４に排出される。
【００２４】
開閉板８の内面にはシャッフル部材１５が設けられており、このため本体１内に収容された各景品ａは、開閉板８が上下に移動する都度、シャッフル部材１５を介して撹拌される。
【００２５】
このため、本体１内の各景品ａは、本体１内で詰まることなく、底板５の受部７からガイド溝６を通して順次１個ずつ円滑に排出口３から排出され、またシャッフル部材１５で各景品ａが撹拌されるため、くじ引きの公平性が保たれる。
【００２６】
この景品供給装置は、その本体１や底板５が段ボール製で、また開閉板８が単なるゴム紐１２で動作し、電源を必要とせず、このため全体が簡易な構造でかつ軽量となり、したがって店内や店頭の狭いスペース部分であっても制約なく容易に設置でき、またその移し変えも手軽に行なうことができ、さらに構造が簡易であるから安価に製作することができる。
【図面の簡単な説明】
【００２７】
【図１】この考案の一実施形態に係る景品供給装置の全体の外観を示す斜視図。
【図２】その景品供給装置の内部の構造を示す斜視図。
【図３】その景品供給装置の景品排出前の状態を示す断面図。
【図４】その景品供給装置の景品排出時の状態を示す断面図。
【図５】その景品供給装置に収容する景品の一例を示す斜視図。
【符号の説明】
【００２８】
１…本体
２…投入口
３…排出口
４…受皿
５…底板
６…ガイド溝
７…受部
８…開閉板
９…開閉口
１０…操作片
１２…ゴム紐
１５…シャッフル部材
ａ…景品
【図１】
0003110124.tif 000003
【図２】
0003110124.tif 000004
【図３】
0003110124.tif 000005
【図４】
0003110124.tif 000006
【図５】
0003110124.tif 000007